(57)【要約】【課題】木製骨組の組み立てに精度がよく加工に手間と時間がかからない丸孔を採用することができ、しかも、合成樹脂の治具により寸法制度のよい角孔と角軸による結合によって組み立てが行え、木製柱が抜けたり取っ手が外れるのを防ぐことができる木製提灯を提供する。【解決手段】木製提灯の骨組みにおいて、電気台３の柱取付け位置に円形孔１５を設け、この円形孔１５内に嵌合した合成樹脂製の埋め込み治具１１に上面で開口する角孔１３を設け、木製柱４の下端部に被せて取付けた合成樹脂製の被せ治具１２を前記埋め込み治具１１の角孔１３に嵌合固定して形成し、木製柱４と取っ手５のそれぞれの結合部位に円形孔１６、１８を設け、一方の円形孔１８に合成樹脂製の埋め込み雄治具１９と他方の円形孔１６に合成樹脂製の埋め込み雌治具１７を嵌合固定し、埋め込み雄治具１９に設けた角軸２１と埋め込み雌治具１７に設けた角孔２０を嵌合する。【選択図】図２
2006236893.tif 000002
【特許請求の範囲】
【請求項１】
複数の支持脚で支持した木製電気台の上面に二本の木製柱を立設し、この電気台の上に火袋を装着すると共に、前記両木製柱の上端部間に木製の取っ手を取付けた木製提灯において、
前記木製電気台に対する木製柱の取付け構造が、電気台の柱取付け位置に円形孔を設け、この円形孔内に嵌合した合成樹脂製の埋め込み治具に上面で開口する角孔を設け、木製柱の下端部に被せて取付けた合成樹脂製の被せ治具を前記埋め込み治具の角孔に嵌合固定して形成され、
前記木製柱と取っ手の結合構造が、木製柱と取っ手のそれぞれの結合部位に円形孔を設け、一方の円形孔に合成樹脂製の埋め込み雄治具と他方に合成樹脂製の埋め込み雌治具を嵌合固定し、埋め込み雄治具に設けた角軸と埋め込み雌治具に設けた角孔を嵌合して形成されていることを特徴とする木製提灯。
【発明の詳細な説明】
【技術分野】
【０００１】
この発明は、各種仏事や神事等で使用する木製提灯、更に詳しくは、提灯の骨組みを構成する支持脚と電気台、柱、取っ手が木製である設置タイプの木製提灯において、電気台と柱及び柱と取っ手の結合部分の構造に関する。
【背景技術】
【０００２】
各種仏事や神事等で使用する木製提灯は、複数の支持脚で支持した電気台の上面に二本の柱を立設し、この電気台の上に火袋を装着すると共に、前記両柱の上端部間に取っ手を取付けた構造を有し、提灯の骨組みを構成する前記支持脚と電気台、柱、取っ手が木材を用いて形成されている。
【０００３】
ところで、木製提灯において、木製電気台に対する木製柱の取付け構造と、前記木製柱と取っ手の結合構造は、立設した柱が回転したり、柱に対して取っ手が倒れないように、角孔と角軸の結合を採用する必要がある。
【０００４】
従来の木製提灯において、木製電気台に対する木製柱の具体的な取付け構造は、木製電気台に角孔を穿設し、木製柱の下端をこの角孔に嵌合する角軸に形成し、木製柱の下端角軸を角孔に差し込んで接着固定することにより、木製柱を電気台上に立設するようになっている。
【０００５】
また、木製柱と取っ手の結合構造も、木製柱の取っ手結合部位に角孔を設け、取っ手の取付け端部をこの角孔に嵌合する角軸に形成し、取っ手の角軸を角孔に差し込んで接着固定することにより、両木製支柱間の上部に取っ手を取り付けるようになっている。
【発明の開示】
【発明が解決しようとする課題】
【０００６】
ところで、木製電気台及び木製柱に設ける角孔は、丸孔に比べて加工に手間と時間がかかり、加工の寸法精度が出しにくいため、相手角軸を嵌め合わせる時に、寸法誤差によって入らなかったり、嵌め合わせが緩いという状態が発生し、嵌め合わせが緩いと骨組みを組み立てた状態で、木製柱が抜けたり取っ手が外れる事態が発生するという問題がある。
【０００７】
そこで、この発明の課題は、木製電気台と木製柱及び取っ手に設ける孔加工に、精度がよく加工に手間と時間がかからない丸孔を採用することができ、しかも、寸法制度のよい角孔と角軸による結合によって、電気台と木製柱及び木製柱と取っ手の結合部分の回り止め状態が得られ、木製柱が抜けたり取っ手が外れるのを防ぐことができる木製提灯を提供することにある。
【課題を解決するための手段】
【０００８】
上記のような課題を解決するため、この発明は、支持脚で支持した木製電気台と、二本の木製柱及び木製の取っ手を備えた木製提灯において、前記木製電気台に対する木製柱の取付け構造が、電気台の柱取付け位置に円形孔を設け、この円形孔内に嵌合した合成樹脂製の埋め込み治具に上面で開口する角孔を設け、木製柱の下端部に被せて取付けた合成樹脂製の被せ治具を前記埋め込み治具の角孔に嵌合固定して形成され、前記木製柱と取っ手の結合構造が、木製柱と取っ手のそれぞれの結合部位に円形孔を設け、一方の円形孔に合成樹脂製の埋め込み雄治具と他方に合成樹脂製の埋め込み雌治具を嵌合固定し、埋め込み雄治具に設けた角軸と埋め込み雌治具に設けた角孔を嵌合して形成されている構成を採用したものである。
【０００９】
ここで、木製電気台は、厚みのある板を用いて円盤状に形成され、その上面外周寄りで軸心を挟む二箇所の位置に円形孔が設けられ、埋め込み治具は、この円形孔に嵌合する外径の円軸状に形成され、角孔は軸心に対して傾斜するように設けられ、両側の円形孔に対して角孔の傾斜が上端側で離反する配置で接着固定されている。
【００１０】
木製柱の下端は、柱よりも小径の角軸に形成し、被せ治具は内径がこの角軸に外嵌する角孔で外径が埋め込み治具の角孔に嵌合する角形に形成され、木製柱の下端に取付けた被せ治具を埋め込み治具の角孔に嵌挿すれば、木製電気台上に二本の木製柱を立設することができ、両木製柱は、埋め込み治具の角孔の傾斜によって上広がりの配置に起立し、取っ手を取付けるときは、両木製柱が略平行するように撓ませた状態で行う。
【００１１】
また、木製柱と取っ手を結合する埋め込み雄治具は取っ手の円形孔内に固定し、埋め込み雄治具を木製柱の丸孔に接着固定する。
【００１２】
上記のように、木製である木製電気台と木製柱及び取っ手には、円形の孔を加工すればよく、角孔に比べて加工に手間と時間が省け、加工の寸法精度が出ることになり、しかも、治具の角孔と角軸の嵌合によって木製柱及び取っ手の取付けが行えるので、電気台と木製柱及び木製柱と取っ手の結合部分の回り止め状態が得られる。
【００１３】
また、合成樹脂製の治具は、外径や角孔と角軸の寸法精度が高く、相手角軸を嵌め合わせて接着する時に、寸法誤差によって入らなかったり、嵌め合わせが緩いという事態の発生がなく、骨組みを組み立てた状態で、嵌め合わせが緩いために木製柱が抜けたり取っ手が外れるというようなことがない。
【発明の効果】
【００１４】
この発明によると、木製提灯の木製電気台に対する木製柱の取付けを、電気台の柱取付け位置に円形孔を設け、この円形孔内に嵌合した合成樹脂製の埋め込み治具に上面で開口する角孔を設け、木製柱の下端部に被せて取付けた合成樹脂製の被せ治具を前記埋め込み治具の角孔に嵌合固定して行い、前記木製柱と取っ手の結合を、木製柱と取っ手のそれぞれの結合部位に円形孔を設け、一方の円形孔に合成樹脂製の埋め込み雄治具と他方に合成樹脂製の埋め込み雌治具を嵌合固定し、埋め込み雄治具に設けた角軸と埋め込み雌治具に設けた角孔を嵌合して行うようにしたので、木製電気台と木製柱及び木製の取っ手に設ける孔加工に、精度がよく加工に手間と時間がかからない丸孔を採用することができ、治具は合成樹脂製であるため、寸法制度のよい角孔と角軸による結合によって、電気台と木製柱及び木製柱と取っ手の結合部分の回り止め状態が得られ、これにより、木製柱が抜けたり取っ手が外れることのない木製提灯の骨組みを組み立てることができる。
【発明を実施するための最良の形態】
【００１５】
以下、この発明の実施の形態を添付図面に基づいて説明する。
【００１６】
図１のように、設置タイプの木製提灯１は、複数の支持脚２で水平に支持した木製電気台３の上面に二本の木製柱４を立設し、この両木製柱４の上端部間に木製の取っ手５を取付けて骨組を形成し、前記電気台３の上に火袋６を両木製柱４が貫通して上方に突出するように装着した構造になっている。
【００１７】
前記木製電気台３は、図２のように、厚みのある板を用いて円盤状に形成され、その略中央部の位置に、光源である電球を取付けると同時に電源コードを通すための孔７が設けられ、周囲三箇所の位置に支持脚２の上端を固定することにより、支持脚２で水平に支持されている。
【００１８】
上記木製柱４は、図２のように、上下に長い角軸材を用いて形成され、取っ手５は、厚みのある木製の板を用いて意匠的な形状に切り出され、下部両側の位置に両木製柱４の上端部外面に先端が当接する取付け片８が設けられ、両木製柱４の上端間に掛け渡した状態で、木製提灯１を吊り下げ保持することができるように取付けられる。
【００１９】
上記木製電気台３に対する木製柱４の取付けには、一対となるＡＢＳ等の合成樹脂製の第１治具９が用いられ、また、木製柱４に対する取っ手５の取付けにも一対となる上記と同様の合成樹脂製の第２治具１０が用いられている。
【００２０】
上記第１治具９は、電気台３に固定する埋め込み治具１１と、木製柱４の下端部に被せて取付ける被せ治具１２の組み合わせからなり、前者の埋め込み治具１１は、外径が円形の軸状に形成され、上面で開口するよう設けた角孔１３が上下方向の軸心に対して傾斜している。
【００２１】
後者の被せ治具１２は、一端側で開口する内部が木製柱４の下端に設けた小径角軸４ａに外嵌する角孔１４となり、外径が埋め込み治具１１の角孔１３に嵌合する角形になっている。
【００２２】
上記木製電気台３には、その上面外周寄りで軸心を挟む二箇所の位置に垂直の円形孔１５が設けられ、上記埋め込み治具１１は、この円形孔１５に嵌合する外径の円軸状に形成され、両円形孔１５に対して嵌め込んだ埋め込み治具１１は、角孔１３の傾斜が上端側で離反する配置で接着固定されている。
【００２３】
上記第２治具１０は、木製柱４の上端部で外側面に設けた円形孔１６に嵌め込み固定する埋め込み雌治具１７と、取っ手５の取付け片８に設けたと円形孔１８に嵌め込み固定する埋め込み雄治具１９との組み合わせからなり、埋め込み雌治具１７は、外径が円形の軸状で一端で開口する角孔２０を備え、また、埋め込み雄治具１９は、外径が円形の軸状で一端側に上記角孔２０へ嵌挿する角軸２１を突設して形成されている。
【００２４】
この発明の木製提灯は、上記のような構成であり、骨組を組み立てるには、支持脚２で支持された電気台３の柱取付け位置に設けた円形孔１５内に埋め込み治具１１を嵌め込み固定し、木製柱４の下端小径角軸部４ａに被せて取付けた合成樹脂製の被せ治具１２を前記埋め込み治具１１の角孔１３に差し込んで固定すれば、図４（ｂ）のように、両木製柱４は、埋め込み治具１１の角孔１３の傾斜によって上広がりの配置に起立することになる。
【００２５】
次に、木製柱４に設けた円形孔１６に埋め込み雌治具１７を嵌合固定し、取っ手５の取付け片８に設けた円形孔１８に埋め込み雄治具１９を嵌合固定し、両木製柱４の上端部を互に引き寄せた状態で、木製柱４の上端部に取っ手５の取付け片８を臨ませ、埋め込み雄治具１９に設けた角軸２１と埋め込み雌治具１７に設けた角孔２０を嵌合固定すれば、図４（ａ）のように、木製柱４の上端部に取っ手５を取り付けることができ、これによって木製提灯１の骨組みを組み立てることができる。
【００２６】
上記両木製柱４の上端部を互に引き寄せて撓ませた状態で取っ手５を取付けてあるので、両木製柱４の拡開弾性力が取っ手５の取付け片８に加わり、木製柱４に対する取っ手５の取付けが強固になる。
【００２７】
上記のようにして組み立てた木製提灯の骨組みは、木製電気台３と木製柱４及び木製の取っ手５に設ける孔加工に、精度がよく加工に手間と時間がかからない丸孔を採用することができ、また、第１と第２治具９、１０は合成樹脂製であるため寸法制度のよい外径と角孔や角軸を形成することができ、各円形孔に対する外径の嵌め込みや角孔と角軸の嵌合が正確に行え、しかも、角孔と角軸による結合によって、電気台３と木製柱４及び木製柱４と取っ手５の結合部分の回り止め状態が得られ、これにより、木製柱４が抜けたり取っ手５が外れることのない木製提灯の骨組みを組み立てることができる。
【００２８】
なお、各円形孔への第１と第２治具９、１０の嵌合部分及び角軸と角孔の嵌合部分は、接着剤を使用して固定化すればよい。
【図面の簡単な説明】
【００２９】
【図１】木製提灯の正面図
【図２】木製提灯の分解斜視図
【図３】（ａ）は木製柱と取っ手の結合構造を示す分解斜視図、（ｂ）は電気台と木製柱の結合構造を示す分解斜視図
【図４】（ａ）は木製柱と取っ手の結合構造を示す結合状態の要部切り欠き正面図、（ｂ）は電気台と木製柱の結合構造を示す結合状態の縦段正面図
【符号の説明】
【００３０】
１      木製提灯
２      支持脚
３      木製電気台
４      木製柱
５      取っ手
６      火袋
７      孔
８      取付け片
９      第１治具
１０    第２治具
１１    埋め込み治具
１２    被せ治具
１３    角孔
１４    角孔
１５    円形孔
１６    円形孔
１７    埋め込み雌治具
１８    円形孔
１９    埋め込み雄治具
２０    角孔
２１    角軸
【図１】
2006236893.tif 000003
【図２】
2006236893.tif 000004
【図３】
2006236893.tif 000005
【図４】
2006236893.tif 000006